(57)【要約】試験紙ボックスおよび当該試験紙ボックスを備えるスマートトイレ。前記試験紙ボックスは、支持体（２）と、支持体（２）の外側の外殻（１）とを備える。前記支持体（２）は、ベースと、ベース上に設けられて試験紙（５）を格納するための長手形状キャビティとを含む。前記ベース上において、長手形状キャビティの底面と対応する位置に貫通口が開けられており、前記貫通口の下方に紙保持溝（７）設けられている。前記紙保持溝（７）は、前記長手形状キャビティ内から排出された最下層の試験紙を保持するように前記ベースの底部に固定されている。前記紙保持溝（７）に紙排出口（８）が設けられている。当該試験紙ボックスは、着脱が簡単で、紙が排出されやすく、交換が容易で、コストが低く、スマートトイレに適用しやすい。
2019527170.tif 000002
【特許請求の範囲】
【請求項１】
支持体と、支持体の外側の外殻と、を備え、
前記支持体は、ベースと、ベース上に設けられて試験紙を格納するための長手形状キャビティと、を含み、
前記ベース上において、長手形状キャビティの底面と対応する位置に貫通口が開けられており、前記貫通口の下方に紙保持溝が設けられており、
前記紙保持溝は、前記長手形状キャビティ内から排出された最下層の試験紙を保持するように前記ベースの底部に固定されており、
前記紙保持溝に紙排出口が設けられていることを特徴とする、試験紙ボックス。
【請求項２】
前記長手形状キャビティの側壁に通気孔が設けられており、前記通気孔の処に防湿部材が設けられていることを特徴とする、請求項１に記載の試験紙ボックス。
【請求項３】
前記防湿部材は乾燥剤パックであり、前記乾燥剤パックは前記長手形状キャビティの側壁と前記外殻との間に固定されていることを特徴とする、請求項２に記載の試験紙ボックス。
【請求項４】
前記支持体のベース上に係合溝が設けられており、前記外殻の内壁に係合台が設けられており、
前記支持体および外殻は、前記係合溝および係合台によって互いに嵌合し固定されることを特徴とする、請求項１に記載の試験紙ボックス。
【請求項５】
前記外殻は、底部が開口して前記支持体の長手形状キャビティ上に被せる筐体であり、
前記筐体の底部の開口は、前記支持体のベースによって蓋閉されることを特徴とする、請求項１に記載の試験紙ボックス。
【請求項６】
前記長手形状キャビティの頂部に紙投入口が設けられており、
前記筐体の頂部に、前記紙投入口とマッチした蓋閉構造が設けられていることを特徴とする、請求項５に記載の試験紙ボックス。
【請求項７】
さらに、前記外殻の筐体に実装用の位置決め溝が設けられていることを特徴とする、請求項５に記載の試験紙ボックス。
【請求項８】
さらに密封アセンブリを備え、
前記密封アセンブリは、前記ベースの貫通口の周囲を取り囲んで突起した密封用平台と、前記密封用平台とマッチして前記紙保持溝を密閉させるための密封パッドと、を含むことを特徴とする、請求項１〜７の何れか１項に記載の試験紙ボックス。
【請求項９】
昇降機構および押進機構を含んだ紙供給モジュールと、請求項１〜８の何れか１項に記載の試験紙ボックスと、を備え、
前記試験紙ボックスには、前記昇降機構と連結するための係合溝が設けられており、
前記昇降機構が前記試験紙ボックスを持ち上げることにより前記試験紙ボックスの紙保持溝が露出したとき、前記押進機構が前記紙保持溝の中の試験紙を前記紙排出口から押し出すことを特徴とする、スマートトイレ。
【請求項１０】
前記係合溝は、前記試験紙ボックスのベースの両端に設けられた陥没溝と、前記外殻の両端に設けられた陥没溝と、を含むことを特徴とする、請求項９に記載のスマートトイレ。
【発明の詳細な説明】
【技術分野】
【０００１】
本発明はスマートトイレの分野に関し、特に試験紙ボックスおよび当該試験紙ボックスを備えるスマートトイレに関する。
【背景技術】
【０００２】
人々の生活への要望が高まるに伴い、スマートトイレが益々消費者に好まれている。現在のスマートトイレは、一般的に洗浄、加熱、殺菌等の機能を備え、加えて、尿検査機能も追加されているものもある。この尿検査機能は、通常、予めスマートトイレ内に格納された試験紙を用いてリアルタイムに尿を検査することにより実現される。しかし、スマートトイレは、その特殊な環境、状況（例えば、狭い空間、湿気など）が故に、試験紙の保管問題および交換問題の解決が要求される。したがって、着脱が簡単で、紙が排出されやすく、交換が容易で、コストが低い新規の試験紙ボックスを設計すれば、スマートトイレの扱い方法を大幅に簡略化すると同時に、検尿の精度を確保することができる。
【発明の概要】
【０００３】
本発明の一つの目的は、着脱が簡単で、紙が排出されやすく、交換が容易で、コストが低く、スマートトイレに更に適用しやすい試験紙ボックスを提供することにある。
【０００４】
本発明のもう一つの目的は、前記試験紙ボックスを備えるスマートトイレを提供することにある。
【０００５】
上記目的を実現するために、本発明は下記の技術的構成を採用している。
【０００６】
試験紙ボックスは、支持体と、支持体の外側の外殻とを備え、前記支持体は、ベースと、ベース上に設けられて試験紙を格納するための長手形状キャビティと、を含み、前記ベース上において、長手形状キャビティの底面と対応する位置に貫通口が開けられており、前記貫通口の下方に紙保持溝が設けられており、前記紙保持溝は、前記長手形状キャビティ内から排出された最下層の試験紙を保持するように前記ベースの底部に固定されており、前記紙保持溝に紙排出口が設けられている。
【０００７】
本発明の好ましい改良として、前記長手形状キャビティの側壁に通気孔が設けられ、前記通気孔の処に防湿部材が設けられている。
【０００８】
前記防湿部材は乾燥剤パックであり、前記乾燥剤パックは前記長手形状キャビティの側壁と前記外殻との間に固定されている。
【０００９】
前記支持体のベース上に係合溝が設けられており、前記外殻の内壁に係合台が設けられており、前記支持体および外殻は、前記係合溝および係合台によって互いに嵌合し固定される。
【００１０】
前記外殻は、底部が開口して前記支持体の長手形状キャビティ上に被せる筐体であり、前記筐体の底部の開口は、前記支持体のベースによって蓋閉される。
【００１１】
前記長手形状キャビティの頂部に紙投入口が設けられ、前記筐体の頂部に、前記紙投入口とマッチした蓋閉構造が設けられている。
【００１２】
さらに、前記外殻の筐体に実装用の位置決め溝が設けられている。
【００１３】
前記試験紙ボックスはさらに密封アセンブリを備え、前記密封アセンブリは、前記ベースの貫通口の周囲を取り囲んで突起した密封用平台と、前記密封用平台とマッチして前記紙保持溝を密閉させるための密封パッドと、を含む。
【００１４】
スマートトイレは、昇降機構および押進機構を含んだ紙供給モジュールと、前記の試験紙ボックスと、を備え、前記試験紙ボックスには、前記昇降機構と連結するための係合溝が設けられており、前記昇降機構が前記試験紙ボックスを持ち上げることにより前記試験紙ボックスの紙保持溝が露出したとき、前記押進機構が前記紙保持溝の中の試験紙を前記紙排出口から押し出す。
【００１５】
本発明の好ましい改良として、前記係合溝は、前記試験紙ボックスのベースの両端に設けられた陥没溝と、前記外殻の両端に設けられた陥没溝と、を含む。
【００１６】
本発明は、上記の技術的構成を用いているため、少なくとも下記の優れた点を有する。
【００１７】
（１）ベースの底部に紙保持溝を設けた構成を採用しているため、紙が試験紙ボックスから排出されやすく、紙詰まりが生じ難く、押し出しが容易となる。
【００１８】
（２）通気孔が設けられており、且つ、通気孔の処に防湿部材が設けられているため、試験紙ボックス内の試験紙が効果的に防湿され、試験紙の効果を失うことが回避される。
【００１９】
（３）支持体と外殻とが互いに係合し、外殻の開口が支持体のベースによって蓋閉されるため、簡単な着脱、容易な交換、簡略的構造、低コストが実現される。
【００２０】
（４）外殻の内表面における頂部には、紙投入口とマッチした蓋閉構造が設けられているため、密封性能がさらに向上する。
【００２１】
（５）外殻の筐体に実装用の位置決め溝が設けられているため、交換または実装時の向きの間違いを回避することができる。
【００２２】
（６）密封アセンブリにより、非使用時の試験紙ボックスの良好な密封が確保され、スマートトイレに適用する場合の湿気環境からの影響が回避される。
【００２３】
以上のように、本発明に係る試験紙ボックスは、密封性が良く、着脱が簡単で、紙が排出されやすく、交換が容易で、コストが低く、よりスマートトイレに適用しやすい。
【図面の簡単な説明】
【００２４】
上記の内容は本発明の技術的構成の概要に過ぎない。以下に本発明の技術的手段が更に明確に理解されるよう、図面および詳細な実施形態を挙げつつ本発明を更に詳しく説明する。
【００２５】
【図１】本発明に係る試験紙ボックスの全体的構造を示す模式図である。
【図２】支持体の構造を示す模式図である。
【図３】本発明に係る試験紙ボックスの一部の構造を示す模式図である。
【図４】本発明に係る試験紙ボックスの全体的構造を別角度から示す模式図である。
【図５】外殻の斜視図である。
【図６】外殻の内部構造を示す模式図である。
【発明を実施するための形態】
【００２６】
本発明は、密封性が良く、着脱が簡単で、紙が排出されやすく、交換が容易で、コストが低い試験紙ボックスを提供する。
【００２７】
図１、２を参照する。図示のように、本発明に係る試験紙ボックスは、外殻１および支持体２を備える。前記支持体２は、ベースと、該ベース上に設けられて試験紙５を格納するための長手形状キャビティと、を含む。試験紙５は、長手形状キャビティの頂部の紙投入口３から長手形状キャビティの内部へ投入される。所定の数量の試験紙５を格納し終えた後、外殻１を上から下へ、支持体２上に被せる。
【００２８】
図５、６を参照する。図示のように、前記外殻１は底部が開口した筐体である。この筐体を前記支持体２の長手形状キャビティ上に被せる。外殻１の内表面における頂部には、長手形状キャビティの頂部の紙投入口３とマッチし、試験紙５を支持体２の長手形状キャビティ内に封入するための蓋閉構造１２が設けられている。
【００２９】
図２、６を参照する。図示のように、外殻１および支持体２は、互いに係合して固定される。具体的には、前記支持体２のベースに係合溝が設けられており、前記外殻１の内壁に係合台が設けられている。前記支持体２および外殻１は、前記係合溝および係合台によって互いに嵌合し固定される。これにより、外殻１の底部の開口が前記支持体２のベースによって蓋閉される。
【００３０】
図２、３を参照する。図示のように、支持体２の長手形状キャビティの周囲に複数の通気孔４が設けられている。通気孔４は長手形状キャビティの側壁に設けてもよい。通気孔４の処には、長手形状キャビティ内の試験紙を湿気から保護するための防湿部材が設置されている。前記防湿部材として乾燥剤パック６を用い、当該乾燥剤パック６を外殻１と長手形状キャビティとの間に固定することが好ましく、場合によっては乾燥剤パック６を複数設置してもよい。
【００３１】
図４を参照する。図示のように、支持体２のベース上において、長手形状キャビティの底面と対応する位置に貫通口が開けられており、それに対応して前記貫通口の下方に細長な紙保持溝７が設けられている。前記紙保持溝７は、長手形状キャビティ内から排出された最下層の試験紙を保持するように前記ベースの底部に固定されている。前記紙保持溝７の一端が紙排出口８となっている。また、前記ベースの底部には、該ベース上の貫通口の周囲を取り囲んで突起した密封用平台１３がさらに設けられている。密封用平台１３は、試験紙ボックスのベースと一体化したプラスチック平台であって、紙保持溝７の下方に位置する密封パッド（図示せず）とマッチして紙保持溝７全体を密閉させるためのプラスチック平台であってもよい。密封用平台１３と密封パッドとからなる密封アセンブリにより、試験紙が使用過程において外部の湿気で効果を失うことを効果的に防止できる。
【００３２】
本発明は、上記の試験紙ボックスを備えるスマートトイレも提供する。前記スマートトイレは紙供給モジュールを備え、前記紙供給モジュールは、前記試験紙ボックスに適合する昇降機構および押進機構を含む。図４、５を参照する。図示のように、前記試験紙ボックスには、前記昇降機構と連結するための係合溝が設けられている。この係合溝は、ベースの両端に設けられた係合溝９と、外殻１の両端に設けられた係合溝１０と、を含む。一例として、係合溝９を試験紙ボックスの持ち上げに用い、係合溝１０を試験紙ボックスの下降に用いてもよい。
【００３３】
実際に使用する際は、試験紙ボックスから紙を排出させる必要がある場合、まず、昇降機構が試験紙ボックスを持ち上げることにより前記試験紙ボックスの紙保持溝７を露出させ、次に、前記押進機構が前記紙保持溝７の中から試験紙を水平に押し出す。具体的には、押進機構にシフトロッドが設置されており、前記シフトロッドは、紙保持溝７の一端から進入して紙保持溝７を通過することにより、試験紙を紙保持溝７の他端の紙排出口８から押し出す。押し出される試験紙は、長手形状の試験紙キャビティ内に格納されている最下層の試験紙である。この試験紙が押し出された後、上層の試験紙が自重によって紙保持溝７内に落下する。そして、次回に紙を用いる際は、押進機構が再び紙保持溝７から進入し、試験紙を押し出す。長手形状キャビティ内に新品の試験紙が幾つか格納されているため、連続的使用が可能となる。試験紙を使い切ったときは、新品の試験紙を再び補充してもよく、空になった試験紙ボックスを破棄し直接に新品の試験紙ボックスを交換してもよい。新たに取り付ける試験紙ボックスの左右向きの間違いを防止する目的で、試験紙ボックスの外殻１には、試験紙ボックスの設置方向を確認するための位置決め溝１１（図５）がさらに設けられている。
【００３４】
紙を使用し終えると、試験紙ボックスを安静にする必要がある。したがって、昇降機構で試験紙ボックスを下降させ、試験紙ボックスの底部を前記密封パッド上に押し被せる。密封パッドと密封用平台１３との嵌合により、紙保持溝７が完全に密閉され、試験紙が湿気を受けることが防止される。なお、前記密封パッドは、試験紙ボックスの実際の取り付け位置に応じて設置されてもよい。また、例えば、専用密封パッド実装シャッシを単独でスマートトイレに設置してもよい。
【００３５】
以上は単に本発明の好ましい実施例に過ぎず、本発明に対するいかなる限定でもない。当業者が以上に開示された技術的内容を利用して若干に行う簡単な変形、均等的改変、または修飾も本発明の保護範囲に含まれる。
【図１】
2019527170.tif 000003
【図２】
2019527170.tif 000004
【図３】
2019527170.tif 000005
【図４】
2019527170.tif 000006
【図５】
2019527170.tif 000007
【図６】
2019527170.tif 000008
【国際調査報告】
2019527170.tif 000009
2019527170.tif 000010
2019527170.tif 000011
2019527170.tif 000012